(57)【要約】【課題】チェンジレバーが設けられたケーシングを違和感なく容易に把持して作業性良く作業を行うことができる電動工具を提供すること。【解決手段】ケーシング２に電動モータを内蔵し、該電動モータ２の動力を先端工具に伝達する動作を切り換えるための回転式のチェンジレバー２６をカバー４（ケーシング２）に備える電動工具１において、軸方向視において前記チェンジレバー２６の外面形状と前記カバー４のチェンジレバー２６周りの外面形状とに連続性を持たせるように、チェンジレバー２６の外面形状を凸曲面状（略半球面状）とする。【選択図】図２
2006255838.tif 000002
【特許請求の範囲】
【請求項１】
ケーシングに電動モータを内蔵し、該電動モータの動力を先端工具に伝達する動作を切り換えるための回転式のチェンジレバーをケーシングに備える電動工具において、
軸方向視において前記チェンジレバーの外面形状と前記ケーシングのチェンジレバー周りの外面形状とに連続性を持たせるように、チェンジレバーの外面形状を凸曲面状としたことを特徴とする電動工具。
【請求項２】
前記チェンジレバーの外面形状を略半球面状としたことを特徴とする請求項１記載の電動工具。
【請求項３】
軸直角方向視において前記チェンジレバーの外面形状と前記ケーシングのチェンジレバー周りの外面形状とに連続性を持たせるように、前記ケーシングの前記チェンジレバー周りの一部に凸部を突設したことを特徴とする請求項１又は２記載の電動工具。
【請求項４】
前記凸部を弾性体で被覆したことを特徴とする請求項３記載の電動工具。
【請求項５】
前記ケーシングをハウジングとカバーで構成するとともに、前記カバーの外周面に弾性体を設けたことを特徴とする請求項１〜４の何れかに記載の電動工具。
【請求項６】
前記チェンジレバーの外周の一部に、径方向外方に延びるつまみを突設したことを特徴とする請求項１〜５の何れかに記載の電動工具。
【請求項７】
前記チェンジレバーの外表面に複数のスリットを形成したことを特徴とする請求項１〜６の何れかに記載の電動工具。
【発明の詳細な説明】
【技術分野】
【０００１】
本発明は、電動モータの動力を先端工具に伝達する動作を切り換えるための回転式のチェンジレバーをケーシングに備える電動工具に関するものである。
【背景技術】
【０００２】
ハンマドリル等の電動工具には、回転速度や動作モードを切り換えるための回転式のチェンジレバーをケーシングに備えたものがある（例えば、特許文献１）。このような電動工具においては、図７に示すように、チェンジレバー１２６は、ケーシング１０２のカバー１０４の下部に突出する直方体のつまみ１２６ｂを備えている。
【０００３】
【特許文献１】特開平１０−２９１１７３号公報
【発明の開示】
【発明が解決しようとする課題】
【０００４】
ところで、図７に示すチェンジレバー１２６においては、その回し易さを考慮するとつまみ１２６ｂの高さとしては少なくとも５ｍｍ程度が必要であるため、作業者がカバー１０４を把持して作業するときにつまみ１２６ｂが手に当たり、操作しづらいという問題があった。
【０００５】
本発明は上記問題に鑑みてなされたもので、その目的とする処は、チェンジレバーが設けられたケーシングを違和感なく容易に把持して作業性良く作業を行うことができる電動工具を提供することにある。
【課題を解決するための手段】
【０００６】
上記目的を達成するため、請求項１記載の発明は、ケーシングに電動モータを内蔵し、該電動モータの動力を先端工具に伝達する動作を切り換えるための回転式のチェンジレバーをケーシングに備える電動工具において、軸方向視において前記チェンジレバーの外面形状と前記ケーシングのチェンジレバー周りの外面形状とに連続性を持たせるように、チェンジレバーの外面形状を凸曲面状としたことを特徴とする。
【０００７】
請求項２記載の発明は、請求項１記載の発明において、前記チェンジレバーの外面形状を略半球面状としたことを特徴とする。
【０００８】
請求項３記載の発明は、請求項１又は２記載の発明において、軸直角方向視において前記チェンジレバーの外面形状と前記ケーシングのチェンジレバー周りの外面形状とに連続性を持たせるように、前記ケーシングの前記チェンジレバー周りの一部に凸部を突設したことを特徴とする。
【０００９】
請求項４記載の発明は、請求項３記載の発明において、前記凸部を弾性体で被覆したことを特徴とする。
【００１０】
請求項５記載の発明は、請求項１〜４の何れかに記載の発明において、前記ケーシングをハウジングとカバーで構成するとともに、前記カバーの外周面に弾性体を設けたことを特徴とする。
【００１１】
請求項６記載の発明は、請求項１〜５の何れかに記載の発明において、前記チェンジレバーの外周の一部に、径方向外方に延びるつまみを突設したことを特徴とする。
【００１２】
請求項７記載の発明は、請求項１〜６の何れかに記載の発明において、前記チェンジレバーの外表面に複数のスリットを形成したことを特徴とする。
【発明の効果】
【００１３】
請求項１〜３記載の発明によれば、チェンジレバーの外面形状を例えば略半球面状として該形状とケーシングのチェンジレバー周りの外面形状に連続性を持たせたため、作業者は、チェンジレバーが設けられたケーシングを違和感なく容易に把持して作業性良く作業を行うことができる。
【００１４】
請求項４記載の発明によれば、ケーシングのチェンジレバー周りの一部に突設された凸部を弾性体で被覆したため、ケーシングを把持したときの感触が良く、ケーシングを把持し易い。
【００１５】
請求項５記載の発明によれば、ケーシングの一部を構成するカバーの外周面に弾性体を設けたため、先端工具に近いカバーを把持して作業を行う際の手の滑り止めと防振効果が得られる。
【００１６】
請求項６記載の発明によれば、作業者は、チェンジレバーの外周の一部に突設された径方向外方に延びるつまみを摘んでチェンジレバーを容易に回すことができるため、該チェンジレバーの操作性が高められる。
【００１７】
請求項７記載の発明によれば、チェンジレバーの外表面に複数のスリットを形成したため、このスリットが手の滑り止め機能を果たし、チェンジレバーを確実且つ容易に回すことができる。
【発明を実施するための最良の形態】
【００１８】
以下に本発明の実施の形態を添付図面に基づいて説明する。
【００１９】
図１は本発明に係るハンマドリルの側面図、図２は同ハンマドリルの正面図、図３はチェンジレバーの底面図（図２の矢視Ａ方向の図）、図４は同ハンマドリルの使用状態を示す斜視図、図５は同ハンマドリルの内部構造を示す破断側面図、図６（ａ），（ｂ）はハンマドリル・モード時とドリル・モード時のチェンジレバーの切換位置を示すハンマドリル前部の底面図である。
【００２０】
本実施の形態に係るハンマドリル１は、ケーシング２内に図５に示す電動モータ８や動力伝達機構等を組み込んで構成されるが、ケーシング２は、図１に示すように、ハンドル部３ａを含む樹脂製のハウジング３の前部に、同じく樹脂製の略円筒状カバー４をねじ５によって結合して構成されている。
【００２１】
ここで、図１及び図２に示すように、上記カバー４の上下左右のコーナー部の４箇所にはねじ座４ａが一体に形成されており、カバー４の外周面には、図１及び図４に示すように、各ねじ座４ａから前方へ延びる凹溝状の延長部４ｂ（図１及び図４には一部のみ図示）が形成されている。尚、この延長部４ｂは、カバー４をハウジング３にねじ結合する際にねじ５を各ねじ座５ａに前方から通すための凹溝であって、これを設けることによって、ねじ５とカバー４との干渉を防ぎつつ、ねじ座４ａの外方への突出量を可及的に小さく抑えることができる。
【００２２】
ところで、当該ハンマドリル１は、安定した作業を行うために、これを用いた作業においては、図４に示すように、作業者は、後述の先端工具３０により近いカバー４を一方の手（左手）で把持し、他方の手（右手）でハンドル部３ａを把持する。この場合、手の滑り防止と防振を目的として、作業者が把持するカバー４とハンドル部３ａの外周面には、カバー４やハウジング３の材質（ポリカーボネイト、ナイロン、アルミニウム等）よりも軟質で且つ摩擦抵抗の大きな樹脂やゴム等で構成された弾性体６，７がそれぞれ設けられている。尚、弾性体６，７は、２層成形によってカバー４やハウジング３と一体に設けられたり、カバー４やハウジング３とは別体に構成され、カバー４とハウジング３の外周面に被着される。
【００２３】
而して、本実施の形態においては、図１、図２及び図４に示すように、カバー４の外周面に設けられた弾性体６は、連続した形状を有し、カバー６の外周面の全周に亘って設けられ、その一部には、図１及び図４に示すように、カバー４の外周面に形成された前記延長部４ｂを避けてＶ字状にカットされた切欠き６ａが計４箇所に形成されている。
【００２４】
又、カバー４の下部には、動作モードを切り換えるための回転式のチェンジレバー２６が回動可能に設けられている。このチェンジレバー２６は、図１及び図２に示すように、その外周面が略半球面状に成形され、図２に示すように、正面視（軸方向視）においてチェンジレバー２６の外周面とカバー４下面のチェンジレバー２６周りの外面形状に連続性が与えられている。
【００２５】
又、側面視（軸直角方向視）においても、チェンジレバー２６の外周面とカバー４下面のチェンジレバー２６周りの外面形状に連続性を持たせるため、カバー４下面のチェンジレバー２６の後方位置には凸部４ｃが一体に突設されている。ここで、本実施の形態では、チェンジレバー２６の回転軸とカバー４の金型の抜き方向が略直交するため、アンダーカットを防ぐために凸部４ｃを複数のリブ（不図示）で構成する必要があるが、この凸部４ｃは前記弾性体６によって被覆されている。
【００２６】
又、図３に示すように、チェンジレバー２６の外周の一部には径方向外方に延びるつまみ２６ａが突設されており、同チェンジレバー２６の外周の反対側（図３の左側）にはプッシュボタン２６ｂが設けられている。尚、プッシュボタン２６ｂは、これを押すことによってチェンジレバー２６の回動ロックを解除するためのものである。
【００２７】
更に、チェンジレバー２６の外表面の左右（図３の上下）には、横斜め方向に傾斜する各３つずつのスリット２６ｃがそれぞれ形成されている。
【００２８】
次に、ハンマドリル１の内部構造と動作を図５及び図６に基づいて説明する。
【００２９】
ハウジング３には駆動源である電動モータ８が内蔵されており、ハウジング３のハンドル部３ａの下端からは前記電動モータ８に給電するための電源ケーブル９が延出している。又、ハンドル部３ａにはスイッチ機構１０が内蔵されており、該スイッチ機構１０には、作業者によって操作されるトリガ１１が機械的に接続されている。そして、スイッチ機構１０は、前記電源ケーブル９を介して不図示の外部電源に接続されており、作業者によってトリガ１１が操作されると、スイッチ機構１０と外部電源との断接がなされて前記電動モータ８への給電がＯＮ／ＯＦＦされる。
【００３０】
他方、ハウジング３の水平部分（モータハウジング部分）に内蔵された前記電動モータ８からは出力軸（モータ軸）１２が水平前方へ延びており、該出力軸１２の先端にはピニオンギヤ１３が形成されている。
【００３１】
又、カバー４内には、該カバー４とハウジング３との間を仕切る金属製の支持部材１４が設けられており、該支持部材１４とカバー４によって減速室１５が画成されている。そして、この減速室１５を含むカバー４内には、摺動部の摩擦低減のための潤滑剤であるグリスが充填されており、このグリスが各摺動箇所に供給される。尚、グリスとしては、石鹸基とシリコン油等の油分とを主成分とするものが使用される。
【００３２】
更に、カバー４内には、電動モータ８の前記出力軸１２と平行な中間軸１６が設けられており、この中間軸１６は、その前後両端が軸受１７，１８を介してカバー４と支持部材１４にそれぞれ回転可能に支承されている。そして、この中間軸１６の後端部には第１ギヤ１９が固定されており、該第１ギヤ１９は、電動モータ８の出力軸１２に設けられた前記ピニオンギヤ１３に噛合している。又、中間軸１６の前記第１ギヤ１９の前方には、回転運動を往復運動に変換するための運動変換部２０が外装され、同中間軸１６上には、スプリング２１によって後方に付勢されたクラッチ２２がスプライン嵌合されている。
【００３３】
ここで、前記運動変換部２０には、前記中間軸１６の回転により前後方向に往復動作するアーム部２０ａが設けられており、該アーム部２０ａは、後述のシリンダ２３内に摺動自在に嵌挿されたピストン２４にピストンピン２５を介して連結されている。又、前記クラッチ２２は、カバー４の下部に回動可能に設けられた前記チェンジレバー２６の回動操作によって中間軸１６上を移動して前記運動変換部２０に係脱され、これによって動作モードがハンマドリル・モードとドリル・モードの間で切り換えられる。
【００３４】
ところで、カバー４内の前記中間軸１６の上方には前記シリンダ２３が中間軸１６と平行に設けられており、該シリンダ２３は、前記支持部材１４によって回転可能に支持され、その長さ方向中間部外周に固定された第２ギヤ２７は、中間軸１６の前端部に形成された前記ギヤ部２８に噛合している。
【００３５】
又、シリンダ２３の先端部には工具保持部２９が設けられており、この工具保持部２９には図４に示す先端工具３０が着脱可能に装着されている。尚、前記支持部材１４が金属製である理由は、該支持部材１４がピニオンギヤ１３、中間軸１６及びシリンダ２３を支持するため、カバー４やハウジング３に比較して高い機械的強度を要するためである。
【００３６】
他方、前記ピストン２４内には打撃子３１が前後方向に摺動可能に嵌挿されており、シリンダ２４内のピストン２４と打撃子３１の間には空気室３２が画成されている。又、シリンダ２３内の打撃子３１の前方には中間子３３が前後方向に摺動可能に嵌挿されており、該中間子３３の後端側には前記打撃子３１が位置しており、同中間子３３の前端側には前記先端工具３０（図４参照）が位置している。
【００３７】
次に、以上のように構成されたハンマドリル１の作用を説明する。
【００３８】
当該ハンマドリル１は、図４に示すように、作業者によってカバー４とハウジング３のハンドル部３ａが把持された状態で作業に供されるが、作業者がトリガ１１を操作して電動モータ８を駆動すると、該電動モータ８の出力軸１２が回転駆動され、その回転はピニオンギヤ１３と第１ギヤ１９を経て減速されて中間軸１６に伝達され、該中間軸１６が所定の速度で回転駆動される。そして、この中間軸１６の回転は、ギヤ部２８と第２ギヤ２７を介して減速されてシリンダ２３に伝達されるため、該シリンダ２３に設けられた工具保持部２９とこれに装着された先端工具３０が回転駆動される。
【００３９】
ここで、前記チェンジレバー２６のプッシュボタン２６ｂを押して回動ロックを解除し、該チェンジレバー２６を図６（ａ）に示すように中立位置から矢印方向に角度αだけ回動させると、動作モードとしてハンマドリル・モードが選択される。このハンマドリル・モードにおいては、クラッチ２２がスプリング２１によって後方へと付勢されて図５に示すように運動変換部２０に係合するため、中間軸１６の回転は、運動変換部２０によってピストン２４のシリンダ２３内での往復運動に変換される。このようにピストン２４が前後方向に往復運動すると、シリンダ２３内の前記空気室３２内の空気が圧縮と膨張を繰り返し、これによって打撃子３１に打撃力が間欠的に付与されるため、中間子３３を介して先端工具３０に打撃力が伝達される。従って、ハンマドリル・モードにおいては、先端工具３０に回転力と打撃力が同時に付与される。
【００４０】
他方、前記プッシュボタン２６ｂを押してチェンジレバー２６を図６（ｂ）に示すように中立位置から矢印方向（反対方向）に角度βだけ回動させる動作モードがドリル・モードに切り換えられる。このドリル・モードにおいては、チェンジレバー２６によってクラッチ２２はスプリング２１の付勢力に抗して中間軸１６上を前方へ移動せしめられて運動変換部２０との係合が解除されるため、中間軸１６の回転は運動変換部２０に伝達されず、ピストン２４は静止したままで往復運動を行わない。従って、このドリル・モードにおいては、中間軸１６の回転がギヤ部２８と第２ギヤ２７を経てシリンダ２３に伝達されるため、前述のように回転工具３０には回転力のみが付与される。
【００４１】
以上において、本実施の形態に係るハンマドリル１においては、チェンジレバー２６の外面形状を略半球面状として該形状とカバー４のチェンジレバー２６周りの外面形状に連続性を持たせたため、作業者は、チェンジレバー２６が設けられたカバー４を違和感なく容易に把持して作業性良く作業を行うことができる。そして、この場合、作業者は、チェンジレバー２６の外周の一部に突設された径方向外方に延びるつまみ２６ａを摘んでチェンジレバー２６を容易に回すことができるため、該チェンジレバー２６の操作性が高められる。又、チェンジレバー２６の外表面に複数のスリット２６ｃを形成したため、このスリット２６ｃが手の滑り止め機能を果たし、チェンジレバー２６を確実且つ容易に回すことができる。
【００４２】
更に、本形態の形態に係るハンマドリル１においては、カバー４の底面のチェンジレバー２６の後方位置に突設された凸部４ｃを弾性体６で被覆したため、金型成形時のアンダーカットを防ぐために複数のリブで構成された凸部４ｃが作業者の手に触れても違和感がなく、カバー４を把持したときの感触が良好となるとともに、弾性体６による手の滑り止め効果と防振効果も得られる。
【産業上の利用可能性】
【００４３】
本発明は、ハンマドリルの他、動作モードを切り換えるための回転式のチェンジレバーをケーシングに備える任意の電動工具に対して適用可能である。
【図面の簡単な説明】
【００４４】
【図１】本発明に係るハンマドリルの側面図である。
【図２】本発明に係るハンマドリルの正面図である。
【図３】本発明に係るチェンジレバーの底面図（図２の矢視Ａ方向の図）である。
【図４】本発明に係るハンマドリルの使用状態を示す斜視図である。
【図５】本発明に係るハンマドリルの内部構造を示す破断側面図である。
【図６】（ａ），（ｂ）はハンマドリル・モード時とドリル・モード時のチェンジレバーの切換位置を示すハンマドリル前部の底面図である。
【図７】従来のハンマドリルの正面図である。
【符号の説明】
【００４５】
１      ハンマドリル（電動工具）
２      ケーシング
３      ハウジング
４      カバー
４ｃ    凸部
６，７  弾性体
８      電動モータ
２６    チェンジレバー
２６ａ  つまみ
２６ｂ  プッシュボタン
２６ｃ  スリット
３０    先端工具
【図１】
2006255838.tif 000003
【図２】
2006255838.tif 000004
【図３】
2006255838.tif 000005
【図４】
2006255838.tif 000006
【図５】
2006255838.tif 000007
【図６】
2006255838.tif 000008
【図７】
2006255838.tif 000009